Podtech/llm-jp-corpus-v4-ja_patent huggingface dataset:
(57)【要約】      （修正有）【課題】テレビ映像画面から発する熱によってもアクリル板製の透明カバー本体の変形を可及的に少なくし、且つ取付けやすくテレビ本体を損傷する恐れのない保護カバー装置及びこの保護カバー装置付きの薄型テレビを提供する。【解決手段】本液晶テレビ画面用保護カバー装置は、カバー体とスペーサー及びベルトからなり、カバー体は、横方向がテレビ本体の正面筺体に対応する幅で、縦方向がテレビ本体の正面筺体より長く形成した金属板枠の上下端部を裏側に屈曲させて固定部とし、金属板枠の中央部にはテレビ本体の画面大きさの窓を設け、該窓の裏側周囲の金属板枠には透明樹脂製の透明カバー本体を固定してあり、スペーサーは透明カバー本体の裏側とテレビ本体の正面筺体間に介着自在とし、ベルトは前記金属板枠の上下の固定部に設けた挿通孔に挿通自在としてテレビ本体に締着自在とし、又前記装置の保護カバー付液晶テレビとしたものである。【選択図】図１
0003155078.tif 000002
【実用新案登録請求の範囲】
【請求項１】
カバー体とスペーサー及びベルトとよりなり、カバー体は、横方向がテレビ本体の正面筺体に対応する幅で、縦方向がテレビ本体の正面筺体より長く形成した鋼板枠の上下端部を裏側に屈曲させて固定部とし、金属板枠の中央部にはテレビ本体の画面大きさの窓を設け、該窓の裏側周囲の金属板枠には透明樹脂製の透明カバー本体を固定してあり、スペーサーは透明カバー本体の裏側とテレビ本体の正面筺体間に介着自在とし、ベルトは前記金属板枠の上下の固定部に設けた挿通孔に挿通自在としてテレビ本体に締着自在とした、又前記装置の保護カバー付液晶テレビとした薄型液晶テレビ画面用保護カバー装置である。
【請求項２】
請求項１記載の薄型液晶テレビ画面用保護カバー装置をテレビ本体に取付けた保護カバー付液晶テレビ。
【考案の詳細な説明】
【技術分野】
【０００１】
本考案は、薄型の液晶テレビの映像画面を保護する保護カバー装置と保護カバー装置付薄型テレビに関する。
【背景技術】
【０００２】
従来の薄型液晶テレビの映像画面のカバーとしては特許文献１に記載されているものがある。
【０００３】
特許文献１の液晶テレビ画面用カバーは、透明なカバー本体全体が透明アクリル樹脂などでできていて、正面の透明カバー本体部分は液晶画面に密着した構造となっており、しかもテレビ本体への取付はカバー体を貫通する固定ネジをテレビ本体の下枠部分にねじ込み固定する構造となっている。
【先行技術文献】
【特許文献】
【０００４】
【特許文献１】実用新案登録第３１３２４６１号公報
【考案の概要】
【考案が解決しようとする課題】
【０００５】
特許文献１記載の液晶画面用カバーは、画面から発する熱によってアクリル板製などの透明カバー本体は変形する恐れがあると共に、篭り熱などによってテレビ本体への悪影響も考えられ、さらにはネジの固定手段によりテレビ本体を損傷する恐れがある。他の薄型テレビの画面保護に使用しても同様の欠点が考えられる。
【０００６】
そこで本考案では、テレビ映像画面から発する熱によってもアクリル、ポリカーボネートなどの透明樹脂板製の透明カバー本体の変形を可及的に少なくし、且つ取付けやすくテレビ本体を損傷する恐れのない保護カバー装置及びこの保護カバー装置付きの薄型テレビを提供しようとするものである。
【課題を解決するための手段】
【０００７】
本案薄型液晶テレビ画面用保護カバー装置は、カバー体とスペーサー及びベルトとよりなり、カバー体は、横方向がテレビ本体の正面筺体に対応する幅で、縦方向がテレビ本体の正面筺体より長く形成した金属板枠の上下端部を裏側に屈曲させて固定部とし、金属板枠の中央部にはテレビ本体の画面大きさの窓を設け、該窓の裏側周囲の金属板枠には透明樹脂製の透明カバー本体を固定してあり、スペーサーは透明カバー本体の裏側とテレビ本体の正面筺体間に介着自在とし、ベルトは前記金属板枠の上下の固定部に設けた挿通孔に挿通自在としてテレビ本体に締着自在とし、又前記装置の保護カバー付液晶テレビとしたものである。
【考案の効果】
【０００８】
本考案の効果として、スペーサーによってテレビ画面と透明カバー本体は一定距離離間し、カバー体の周囲から放熱するので、液晶テレビの映像画面から発する熱によってもアクリル板製の透明カバー本体の変形は可及的に少なくなり、且つ簡単に取り付けることができ、テレビ本体を損傷する恐れがない。
【図面の簡単な説明】
【０００９】
【図１】本案薄型液晶テレビ画面用保護カバー装置の斜視説明図。
【図２】本案装置の保護カバー付液晶テレビ断面説明図。
【実施例】
【００１０】
本案の薄型液晶テレビ画面用保護カバー装置１は、カバー体２とスペーサー３及びベルト４とよりなり、カバー体２は、横方向がテレビ本体５の正面筺体５’に対応する幅で、縦方向がテレビ本体５の正面筺体５’より長く形成した鋼板などの金属板枠６の上下端部を裏側に屈曲させて固定部７，７とし、金属板枠６の中央部にはテレビ本体５の画面大きさの窓８を設け、該窓８の裏側周囲の金属板枠６にはアクリル板、ポリカーポネート板などの透明樹脂製の透明カバー本体９を接着剤などの固定手段により固定してあり、スペーサー３は透明カバー本体９の裏側とテレビ本体５の正面筺体５’間に介着自在とし、ベルト４は前記金属板枠６の固定部７，７に設けた挿通孔１０に挿通自在としてテレビ本体５に締着自在としたものである。１２は受光部の覗き孔である。透明カバー本体９の両面は図示しない保護シートで予め覆っておき、使用時に剥離するようにする。
【００１１】
以上は縦長画面のテレビ本体５に取り付ける保護カバー装置について説明してきたが、テレビ本体５の画面が横長の場合は固定部７，７の夫々に対応する複数個の挿通孔１０，１０を設けるようにするとよく、又スピーカーがテレビ本体５に内蔵されている場合は、そのスピーカー位置に対応する金属板枠６と透明カバー本体９の位置に多数の通孔を設けておいて音が聞こえるようにしておくとよい。
【００１２】
スペーサー３はクッションゴムなどの弾力性のあるものが好ましく、予め図示しない接着剤を塗布して剥離紙で覆っておき、取付時に剥離紙を剥いでテレビ本体５に接着するようにするとよい。
【００１３】
図中１１はバックルで、ベルト４をテレビ本体５に締着させる。
【００１４】
本案は以上のようになるものであるが、これを図２の一点鎖線に示すようにテレビ本体５に取り付けるには、透明カバー本体９の裏側に張られている保護シートを剥がし、周囲の透明カバー本体９の周囲に所要数のスペーサー３，３を…の貼り付け、しかる後にカバー体２をテレビ本体５の正面筺体５’にスライドさせながら嵌め込み、挿通孔１０，１０に二点鎖線のようにベルト４を挿通し、テレビ本体５に締着させる。その後透明カバー本体９の表面の保護シートを剥がすようにする。
【符号の説明】
【００１５】
１：薄型液晶テレビ画面用保護カバー装置
２：カバー体
３：スペーサー
４：ベルト
５：テレビ本体
５’：正面筺体
６：金属板枠
７，７：固定部
８、窓
９：透明カバー本体
１０，１０：挿通孔
１１：バックル
１２：覗き窓
【図１】
0003155078.tif 000003
【図２】
0003155078.tif 000004
(57)【要約】      （修正有）【課題】自転車に、駆動モーターを取付けて、電気動力を併用した走行で、ペダルでの踏み力を低減して、上り坂走行を容易にした電動自転車を提供する。【解決手段】自転車の車輪の輪郭リムに駆動力を直接伝達する事に依り、小さな駆動力のモーターと小容量型蓄電池を使用して、電動走行を可能にした。本電動自転車は、自転車の後輪のリム部分一周に歯車を施して、モーター軸の歯車とを直接結合する事に依り、モーターの駆動回転が車輪のリムを直接回転する事が出来る為に駆動力が小さく、高効率に車輪を回転し、走行出来る。    【選択図】図１
0003155014.tif 000002
【実用新案登録請求の範囲】
【請求項１】
自転車の車輪に歯車を付けた輪郭リム、と前記の輪郭リムに回転を伝達する駆動歯車、と前記の駆動歯車を連結した変速機、と前記の変速機に回転を与える駆動モーター、と前記の駆動モーターの回転を調節する回転制御装置、と前記の駆動モーターに必要な電源の充放電蓄電池、と前記の電源を開閉するアシスト感知開閉装置、と前記の蓄電池に走行中、常に充電を行う為の発電機、と前記の発電機の起電力を前記の蓄電池に充電を行う充電装置を備える電動自転車である。
【考案の詳細な説明】
【技術分野】
【０００１】
従来は、手軽な自転車で移動の際、平坦道路、及び下り坂道路では、あまり動力を費やす事も無く走行出来るが、登り坂の走行は、上り坂勾配にも依るが、困難も大きい状態であった。
【背景技術】
【０００２】
本来、自転車とは、人力による動力伝達で走行する車輌であるが、この自転車にモーターを搭載・連結して、モーターの駆動力を車輪の輪郭「リム」に伝達して走行を行う事を手段とする電動自転車である。
【０００３】
本考案は、電源蓄電池の充電容量低下で電動駆動が困難な時は本来の自転車として走行を行い、走行中に車軸型発電機からの起電力を電源蓄電池に充電する事に依り蓄電池の復帰を可能にする機能を備えている。
【０００４】
本考案の電動自転車としての走行は、発進の際ペダルを踏む事に依りアシスト感知開閉装置が働き、電源回路を「ＯＮ」して通電状態と成り、駆動モーターが作動する。
ペダルの回転速度を感知した回転制御装置が作動して駆動モーターの回転が制御される。
この制御された回転が車輪の輪郭リムに伝達され、その状況に応じた電動自転車走行を可能にする。
【考案の開示】
【考案が解決しようとする課題】
【０００５】
最近では、電動力付き自転車も市場に多く出ている、この電動力付き自転車はペダルチエーンの駆動伝達に依る為、直径の小さいチエーン・ギアで直径の大きな車輪を駆動する為、出力の大きいモーターと容量の大きい電源蓄電池が必要である。
また、前車輪の車軸に駆動モーターを付けた電動自転車も有るが車軸駆動の為、駆動モーターに大きな出力を必要とする。
【０００６】
本考案は、このような問題を解決するもので、モーター軸に連結した歯車と輪郭リムに取付けた歯車とを結合して、駆動モーターの回転が車輪の輪郭リムを回転させる事を課題とする。
【課題を解決するための手段】
【０００７】
本考案の電動自転車は、自転車の後輪の「リム」部分一周に「歯車」を施して、モーター軸の「歯車」とを直接結合する事に依り、モーターの駆動回転が「車輪のリム」を直接回転する事が出来る為に駆動力が小さく、高効率に車輪を回転し、走行出来る事を手段とする。
【考案の効果】
【０００８】
本考案は、26インチ自転車に於いて、タイヤの回転力を比較すると、ペダル踏圧に依るチエーン歯車駆動の回転力に対して、輪郭リム駆動の回転力では約「１/1７」の力で駆動出来る効果がある。
これは「梃子の原理」の面から見て、「車椅子」を応用したもので、輪郭リム部を回転する事が如何に容易かである。
【考案を実施するための最良の形態】
【０００９】
現在市販の自転車に於いて、前車輪の車軸に発電機を組込み、夜間走行時に自動点灯回路を用いて照明に使用している自転車もある。
この発電機は昼夜間を問わず、走行時は常に起電力を発している。本考案は、走行負荷が軽い上記の構造の車軸型発電機を利用して、昼間走行時に、この起電力を電源蓄電池に充電を施す事を可能にした。
この作用により商業電源からの充電回数も低減される。
【実施例】
【００１０】
以下に、本考案に係る電動自転車について説明する。
図１は、電動自転車の原理図である。  図1に於いて、１は車輪（含む、タイヤ＆チューフ゛）、２は歯車付きリム、３は駆動歯車、４は駆動モーター（変速機一体型）、で構成される。
【００１１】
図２は、系統図である。図2に於いて、３は駆動歯車、４は駆動モーター、６は回転制御装置、７は駆動用電源部（充放電蓄電池）、８は変速機（トルクコンバータ）または減速機、９は発電機、１０は充電装置、１１はアシスト感知開閉装置、で構成される。
尚、８の変速機または、減速機を４のモーターと一体化組込みを施して小型形状を図る。
【産業上の利用可能性】
【００１２】
本考案は、小駆動力・高効率の伝達が出来る為、駆動モーターの小型化と電源蓄電池の小型化が可能と成る。その上、昼間走行時は常に車軸型発電機の起電力を充電する事に依り、充電回数が低減出来る。
依って今後は原動機付自転車に変わる乗物として普及を考慮。
【図面の簡単な説明】
【００１３】
【図１】本考案の原理図である。
【図２】本考案の系統図である。
【符号の説明】
【００１４】
１  車輪（タイヤ＆チュ−ブ）
２  歯車付きリム
３  駆動歯車
４  駆動モーター
５  チエーン駆動歯車
６  回転制御装置
７  駆動用電源（充放電蓄電池）
８  変速機（トルクコンバータ）又は減速機
９  発電機
１０  充電装置
１１  アシスト感知開閉装置
【図１】
0003155014.tif 000003
【図２】
0003155014.tif 000004
【手続補正書】
【提出日】平成21年8月24日(2009.8.24)
【手続補正１】
【補正対象書類名】実用新案登録請求の範囲
【補正対象項目名】全文
【補正方法】変更
【補正の内容】
【実用新案登録請求の範囲】
【請求項１】
自転車の車輪に歯車を付けた輪郭リムと、前記の輪郭リムに回転を伝達する駆動歯車と、前記の駆動歯車を連結した変速機と、前記の変速機に回転を与える駆動モーターと、前記の駆動モーターの回転を調節する回転制御装置と、前記の駆動モーターに必要な電源の充放電蓄電池と、前記の電源を開閉するアシスト感知開閉装置と、前記の蓄電池に走行中、常に充電を行う為の発電機と、前記の発電機の起電力を前記の蓄電池に充電を行う充電装置を備える電動自転車。
(57)【要約】      （修正有）【課題】手塗り刷毛の持ち手に握力チューブポンプを取り付け、連続給液塗布を可能とする塗布刷毛を提供する。【解決手段】刷毛１の根元の結束糊付け固定部に孔を穿け、吐出チューブ３を挿入し、市販の安価な石油ポンプと同等または同類の吐出逆止弁４、握力にて変形し、かつ復元性のあるチューブ状ポンプ５、吸入逆止弁６、等を手塗り刷毛の持ち手２に取付け、更に伸縮揺動が可能なるコイルチューブ８を取付けたうえ、手元塗液缶９に接続する。これ等にて構成された、チューブ状握力ポンプを手指で押すことにより塗布液が刷毛１に送入され、手指の力を抜くことにより次の塗布液が吸入される。【選択図】図１
0003155019.tif 000002
【実用新案登録請求の範囲】
【請求項１】
一般の、ペンキ塗り、障子貼り、襖貼り、絵画き、等に、広く使用されている、手持ち塗布刷毛において、持ち手に、吐出逆止弁、手指の力により給液を可能としたチューブポンプ、吸入逆止弁、を付加せしめることにより、連続給液塗布を可能としたことを特徴とする、握力ポンプ付き塗布刷毛。
【考案の詳細な説明】
【技術分野】
【０００１】本考案は、手塗り刷毛の持ち手に握力チューブポンプを取り付け、連続給液塗布を可能とした塗布刷毛に関するものである。
【背景技術】
【０００２】塗装塗布作業は、一般には、ガン吹き、ローラー塗り、刷毛塗り、等にて行なわれているが、ガン吹きは高度な熟練を要し、ローラー塗り及び刷毛塗りは塗布液の補給量の調節にむづかしさがある。
【考案の概要】
【考案が解決しようとする課題】
【０００３】刷毛塗りは、凹凸の多い物、小物品、等への塗布に対して最適ではあるが、広い面への塗布に対しては、塗布液の補給の点で不利とされがちであった。
簡便かつ安価な手動補給器を付加することにより、大巾な省力化に貢献できるのが本考案である。
【課題を解決するための手段】
【０００４】本考案は、上記の目的を達成するために、以下の技術的手段を講じた。
すなわち、刷毛の根元の結束糊付け固定部に孔を穿け、給液チューブを挿入し、市販の安価な石油ポンプと同等または同類の吐出逆止弁、握力にて変形し、かつ復元性のあるチューブ状ポンプ、吸入逆止弁、等を手塗り刷毛の持ち手に取付け、更に伸縮揺動が可能なるコイルチューブを取付けたうえ、手元塗液缶に接続せしめる。
これ等にて構成された、チューブ状握力ポンプを手指で押すことにより塗布液が刷毛に送入され、手指の力を抜くことにより次の塗布液が吸入され、目的が達成される。
【考案の効果】
【０００５】本考案の握力ポンプ付き塗布刷毛を使用することにより、肩から吊り下げまたは腰バンド等に保持される手元塗液缶内の塗布液が無くなるまで、手指押し式のチューブポンプを操作することにより、塗布液の量の調節が可能となり、また作業時間が大巾に短縮される等、抜群の効果を発揮するものである。
【考案を実施するための形態】
【０００６】以下、図面を参照しながら本考案の実施の形態を説明する。
図１に示すように、一般に広く使用されている刷毛１と持ち手２とにより構成される手塗り刷毛の、糊と結束により固化された根元部に孔を穿け、吐出チューブ３を挿入する。
そして、吐出チューブ３、吐出逆止弁４、手指の押し力によりつぶれ変形による塗液の送入、または手指の押し力を抜くと元の円形に復元しながら塗液の吸入を行なうチューブポンプ５、吸入逆止弁６、を手塗り刷毛の持ち手２、に取付け用具７、にて固定する。
次いで、吸入逆止弁６、に伸縮及び揺動変形が可能なる
コイルチューブ８、上面フタ開放形の手元塗液缶９、手元塗液缶の底部に接するよう取付具１０、にて保持される吸入チューブ１１、をコイルチューブ８に差し込み接続することにより、一連の握力ポンプ付き塗布刷毛が完成される。
家庭用の石油ポンプは、木と同等の低粘度液に使用されており粘度のやや高い壁用水性ペイント、鉄工所等で使用されている錆止め用または機器類用の油性ペイント等によるテストの結果、吐出逆止弁、チューブポンプ、吸入逆止弁の作動には殆んど悪影響が見られず、特に油性ペイントの粘度調整用のシンナーを少々減らしても、良好に作動することが確認された。
【図面の簡単な説明】
【０００７】
【図１】中央断面図
【符号の説明】
【０００８】  １  刷毛
２  塗布刷毛用持ち手
３  吐出チューブ
４  吐出逆止弁
５  チューブポンプ
６  吸入逆止弁
７  取付け用具
８  コイルチューブ
９  手元塗液缶
１０  取付具
１１  吸入チューブ
【図１】
0003155019.tif 000003
(57)【要約】【課題】  履き心地・美観・動きやすさを損なわずに靴の足部保護機能を高め、靴着用者の護身・格闘・スポーツにかかる能力を向上させ、加えて災害時に生き残る力をも高め、もって商品の付加価値を高め、購買意欲を喚起し、靴の需要増大に資する。【解決手段】  靴の内側または外側または靴構造素材内部に合成樹脂または金属の保護板を配し、縫製または接着剤での接着により固着したものである。保護板は爪先部と甲の内側部に加え、靴の構造および機能上の配慮から足首前部と甲の外側にも装着することで、より高い足部保護力が得られる。【選択図】図２
0003155015.tif 000002
【実用新案登録請求の範囲】
【請求項１】
短靴的形状の靴または中編上靴的形状の靴の、内側または外側または靴構造素材内部の、爪先部と甲の内側部に、合成樹脂または金属の保護板を装着し、足部保護力を高めた保護板装着靴構造。
【請求項２】
請求項１記載の保護板を靴に装着するに際し、爪先部と甲の内側部に加え、足首部と甲の外側部にも装着することで、足部保護力が広範になることを特徴とする請求項１記載の保護板装着靴構造。
【考案の詳細な説明】
【技術分野】
【０００１】  本考案は、靴の機能と構造に関し、その構造において、靴の内部又は外部又は靴構造素材内部に合成樹脂の板又は金属板を装着することにより、従来よりの靴の機能に加え、護身および格闘に寄与する機能を付加する構造に係わる。
【背景技術】
【０００２】  従来から、靴の主たる機能としては、足部保護、足部防暑、足部防寒、足部装飾、足部水濡れの防除、運動性能の向上などであり、性別・年齢にかかわらず幅広く利用されてきた。一方近年においては、類似商品との差別化および需要者の購買意欲を喚起するために、色々なデザインや機能上の工夫を施すことが重要になってきている。【０００３】  例えば、足部の保護を目的とし、靴の保護力強化のため、紐状の引張り体を靴前部からくるぶしにかけて交差させて留め、あるいは紐状の引張り体を靴前部からくるぶしにかけてリングを介して留める安全靴が発明されている（特許文献１）。【０００４】  また、足の甲を中心とした足部の保護を目的とし、靴の甲部上面を硬質系素材で覆う後付けの靴用プロテクターが発明されている（特許文献２）。【０００５】  また、安全靴の爪先芯の形状および材質については、数多くの発明がなされている。【０００６】
【先行技術文献】
【特許文献】
【特許文献１】  特許公開２００７−１３６０６４号広報
【特許文献２】  特許公開２００８−２６４０５０号広報
【考案の概要】
【考案が解決しようとする課題】
【０００７】  しかしながら、特許文献１の発明も特許文献２の発明も、作業現場での安全がその目的であり、靴着用時の動きやすさや重量についての配慮は、ほとんど作業現場という環境内で使用されることを前提的要件として捉えたうえでなされている。また、故に普段の着用をするに際しての美観や動きやすさは、好ましいものではない。【０００８】  本考案の目的は、護身、格闘、災害時、またはサッカーなどのスポーツやハイキングにおいて着用するに適した、安全で、動きやすく、丈夫で、かつ美観が良い靴を提供することである。【０００９】本考案になる靴は外観上も履き心地も違和感がほとんどなく、かつ衝撃からの足部保護機能を大きく向上させる。これにより本考案は着用者の足に係る運動能力を向上させ、護身、格闘、サッカー等スポーツの能力などを高める。またこれにより、商品の付加価値を高め、購買意欲を喚起し、靴の需要増大に資することを目的とする。
【課題を解決するための手段】
【００１０】  本考案の靴は、ポリプロピレンなどの合成樹脂の板又はアルミニウム・ジュラルミン・真鍮・鉄などの金属の板を爪先と甲の内側に、また靴の形状や機能面での配慮によっては足首前部や甲の外側にも配し、衝撃からの足部保護機能を向上させたものである。【００１１】  機能性、デザイン性を考慮した上、前記保護板を靴の内側もしくは外側もしくは靴の構造素材内部に配し、縫製や接着剤による接着などにより固着し、履き心地も考慮したものである。
【考案の効果】
【００１２】  本考案の保護板装着靴構造は、保護板による足部保護機能の向上により、着用者の運動能力を向上させ、よって護身・格闘能力、スポーツ能力、災害時のサバイバル能力などに寄与する。【００１３】  爪先部、甲の内側部、足首前部、および甲の外側部の各保護板は、物が足に落下した時や物を蹴りあげたときの足にかかる衝撃から足部を保護する。
【図面の簡単な説明】
【００１４】
【図１】  （ａ）、（ｂ）はそれぞれ本考案の保護板装着靴構造に使用する保護板を爪先部と甲の内側部に装着した右足の短靴的形状の靴の側面図と上面図である。
【図２】  （ｃ）、（ｄ）はそれぞれ本考案の保護板装着靴構造に使用する保護板を爪先部と甲の内側部に加え、足首前部と甲の外側部に装着した右足の中編上靴的形状の靴の側面図と上面図である。
【符号の説明】
【００１５】１・・・・・・右短靴的形状靴側面図
２・・・・・・右短靴的形状靴上面図
３・・・・・・右中編上靴的形状靴側面図
４・・・・・・右中編上靴的形状靴上面図
５・・・・・・爪先部保護板
６・・・・・・甲部保護板
７・・・・・・足首前部保護板
８・・・・・・靴紐
９・・・・・・ベロ
１０・・・・・靴本体
１１・・・・・靴本体底部
【考案を実施するための形態】
【００１６】  本考案の保護板装着靴構造について、その靴の形状および保護板の形状は広範に形成できるが、その実施の最良の形態について、図面に示す実施例に基づいて、具体的に説明する。
【実施例】
【００１７】  図１は、保護板を右足短靴的形状の靴の爪先部と甲の内側部に装着した図である。これにより物が足に落下した場合と物を蹴りあげた場合の衝撃から、装着部周辺を保護する。【００１８】  図２は、保護板を右足中編上靴的形状の靴の爪先部と甲の内側部に加え、足首前部二か所と甲の外側に装着した図である。これにより物が足に落下した場合と物を蹴りあげた場合の衝撃から、装着部周辺を保護する。【００１９】  図１および図２は装着例であり、機能性および経済性および美観を損なわず、保護板の形状を適切に調整して装着する。
【産業上の利用可能性】
【００２０】  保護板を装着することにより、足部保護機能を向上させ、これにより装着者の護身能力、格闘能力、災害時のサバイバル能力、スポーツ能力などを向上させる。加えて履き心地や美観も損なうことがないため、購買者の商品満足度を高め、さらなる購買意欲を喚起し、産業の発展に資することができる。
【図１】
0003155015.tif 000003
【図２】
0003155015.tif 000004
(57)【要約】      （修正有）【課題】胛部分からふくらはぎ部分までの長靴の筒状部分を、一挙動で、開閉することができる筒状履物（長靴）を提供する。【解決手段】長靴１の筒状部分２の内側の３の部分外側４の部分にチャックベルト、ヒモ、ボタン等に代えて、それぞれ面ファスナーを取り付ける。使用者は、筒状部分２の内側３の部分と外側４の部分を一挙動で適宜接着する又は開放することによって、その長靴を使用することができる。【選択図】図１
0003155955.tif 000002
【実用新案登録請求の範囲】
【請求項１】
筒状部の内側を連続状の面ファスナーによって開閉自体とした履物
【請求項２】
連続状の面ファスナーの一部を切欠した請求項１の履物
【請求項３】
連続状の面ファスナーを間欠にした請求項１の履物
【考案の詳細な説明】
【技術分野】
【０００１】
本考案は、履物に関する。
【０００２】
履物には、胛部分まで覆うもの（短靴）と胛部分からふくらはぎ部分までを覆う筒状を具備したもの（長靴）とがある。本件は後者に関するものである。
【先行技術文献】
【特許文献】
【０００３】
【特許文献１】実用新案登録第３０００７２３号公報
【考案の概要】
【考案が解決しようとする課題】
【０００４】
従来、長靴に胛部分と一体となったもの（例えば雨靴）と、筒状部分をチャックベルト、ヒモ、ボタン等で開閉自体としたものとがある。然しながら、それらのものはそれぞれ一挙動によって、その開閉をすることが至って困難であった。
【０００５】
そこで、本考案は、之を一挙動（手）で開閉することができる履物を提供することを目的とするものである。
【課題を解決するための手段】
【０００６】
本考案は、当該目的を達成するために、色々の材料を提供して、研究をした結果、本考案を完成した。
【０００７】
本考案の請求項１は、筒状の履物の内側を連続状の面ファスナーによって開閉自体とした履物に関するものである。
【０００８】
請求項２の履物は、筒状の内部面ファスナーを常に連続的にしないで、一部切欠したことを特徴とするものである。
【０００９】
請求項３は、連続状の面ファスナーを間欠的に使用したことを特徴とするものである。
【００１０】
従来の長靴は、その足の出し入れに苦労したものあるが、その後、チャック、ボタンによって、その筒状部分を開閉したものが考案されたが、チャックでは途中でゴミが喰い込み、ボタンは一々手によってはめねばならないので時間を要した。
【００１１】
本考案は、これらの欠点を解除するものであり、一挙動（手）によって、開閉が即時なすことができるものである。
【００１２】
これらの効果によって、本考案の使用者は瞬時に本件長靴を履くことができ、また脱ぐことができ至って能率的である。例えば、会合で座敷に上り下りした時でも、チャック等を取り外しすることなく、直ちに座敷に入り、また、座敷から下げることができ、至って便利である。
【考案を実施するための最良の形態】
【００１３】
本考案に使用する面ファスナーは着脱自在のものであれば、その種類が問わないが、その靴の筒状に取り付けるものであるから、あまりにも弱いものは不適合である。
本考案の実施例を説明すれば、図１の長靴（１）の筒状部分（２）の内側の（３）の部分及び外側（４）の部分にそれぞれ面ファスナーを取り付け、（３）の部分と（４）の部分を適宜接着する又は開放することによって、使用者はその長靴を使用することができるのである。図２、図３も同様である。
【図面の簡単な説明】
【００１４】
【図１】本考案の請求項１の長靴の実施例の斜視図である（実施例）
【図２】請求項２にかかる長靴の実施例の斜視図である（実施例）
【図３】請求項３にかかる長靴の実施例の斜視図である（実施例）
【符号の説明】
【００１５】
１  長靴
２  筒状部分
３  面ファスナー（内側）
４  面ファスナー（外側）
【図１】
0003155955.tif 000003
【図２】
0003155955.tif 000004
【図３】
0003155955.tif 000005
(57)【要約】      （修正有）【課題】二輪車等のサイドスタンドにあって、該スタンドの故障に備えて複数本設置する時、三点支持よりも車体を安定的に支えることができるサイドスタンドを提供する。【解決手段】サイドスタンド本体は、略中空円筒形状であって接地端部のみを半球状の形状とし、中央上方に車体４から側方に突き出た車体ピン５が貫通するためのスリット６を設け、それぞれが車体から側方に突き出た車体ピン５を支点とし、車体に対して回転や上下移動が可能な状態で結合する。車体ピン５とバネピン３の間には、伸縮可能なバネＲおよびバネＬを設け、サイドスタンド収納時にはバネが最も縮み、車体ピンがサイドスタンド本体のスリット最上部に押しつけられた状態となる。サイドスタンド本体の上部には、車体ピンを支点として、車体に対し回転のみが可能な状態で結合される略試験管形状のスタンドガイドを設ける。サイドスタンド本体上部は、スタンドガイド１に内挿されているため、サイドスタンド本体が回転するとスタンドガイド１も回転する。【選択図】図１
0003155938.tif 000002
【実用新案登録請求の範囲】
【請求項１】
バネにより伸縮可能な複数本のスタンドを連結したことを特徴とする連結式サイドスタンド
【考案の詳細な説明】
【技術分野】
【０００１】
この考案は、二輪車等の駐車時に車体を安定的に支えるためのサイドスタンドに関するものである。
【背景技術】
【０００２】
一般的に、駐車時に車体を支えるために、二輪車の車体フレームには収容可能なサイドスタンドが、通常一本装備されている。これにより前後車輪の接地面二点とサイドスタンドの一点の、合計三点により車体を安定的に支えることができる。
【特許文献１】実開Ｈ０１−８７０８９公報
【特許文献２】実用新案登録第３０９００６７号
【考案の開示】
【考案が解決しようとする課題】
【０００３】
ところが、サイドスタンドの可動部品は破損しやすく、万一破損した場合に車体を支える機能が損なわれてしまう。また、サイドスタンドを複数設置した場合には、支点が増えることで加重が分散し、三点支持よりもかえって不安定になるという弊害がある。
【０００４】
この考案は、上記のような従来技術に存在する問題点に着目してなされたものである。その目的とするところは、複数本のサイドスタンドでありながら、車体を安定的に支えることができる連結式サイドスタンドを提供することにある。
【課題を解決するための手段】
【０００５】
上記の目的を達成するために、本考案の連結式サイドスタンドは、車体を安定的に支えるために複数本のサイドスタンドのそれぞれが、加重に応じバネにより伸縮する構造とする。
【考案の効果】
【０００６】
本考案の連結式サイドスタンドは、それぞれの加重に応じバネにより伸縮する構造としたことで、車体を安定的に支えることができる。加えて、複数本のスタンドを連結した構造とすることで、片方のスタンドを操作するだけで、他方のスタンドを連動して操作することができる。
【考案を実施するための最良の形態】
【０００７】
以下に、この考案を具体化した一実施形態に基づいて詳細に説明する。
【実施例１】
【０００８】
図１には、本考案の連結式サイドスタンドの収納時の状態が示されている。本実施例の連結式サイドスタンドは、二本のサイドスタンド本体から構成される。
サイドスタンド本体は、略中空円筒形状であって接地端部のみを半球状の形状とする。サイドスタンド本体には、中央上方に車体から側方に突き出た車体ピンが貫通するためのスリットを設けて、それぞれが車体から側方に突き出た車体ピンを支点とし、車体に対して回転や上下移動が可能な状態で結合されている。
さらにサイドスタンド本体の上方外面には、バネＲおよびバネＬを固定するためのバネピン設ける。
【０００９】
車体ピンとバネピンの間には、伸縮可能なバネＲおよびバネＬが設けられており、サイドスタンド収納時にはバネが最も縮み、車体ピンがサイドスタンド本体のスリット最上部に押しつけられた状態となる。
サイドスタンド本体の上部には、車体ピンを支点として、車体に対し回転のみが可能な状態で結合される略試験管形状のスタンドガイドを設ける。サイドスタンド本体上部は、スタンドガイドに内挿されているため、サイドスタンド本体が回転するとスタンドガイドも回転する。
さらに、スタンドガイド上部にはフックが設けられており、バネＣによってスタンドガイド同士が連結されている。
【００１０】
サイドスタンド収納時は、図１の様に車体に対し傾けて収納されている。この時バネＲおよびバネＬが縮むことにより、サイドスタンド本体が最も伸びた状態となる。
【００１１】
図２には、本考案の連結式サイドスタンドを平坦地で使用した状態が示されている。サイドスタンドを使用する場合には、図２の様にサイドスタンド下部が車体前方に傾くように回転させる。平坦地では、二本のスタンド本体には、ほぼ均等に力がかかるため、図２の状態から図３の状態へと、バネがスタンド本体への加重に応じて伸びる。
【００１２】
図４には、本考案の連結式サイドスタンドを凹凸がある場所で使用した状態が示されている。図４では、右のサイドスタンド本体の接地位置が左のサイドスタンド本体の接地位置よりも窪んでいることが下部の補助線により表されている。この場合、左のサイドスタンド本体には加重が多くかかるため、バネＲよりもバネＬの方が伸び、スタンド本体間の加重を調節することができる。
【００１３】
本実施例では、サイドスタンドを二連式としたが、三連式以上に変更することもできる。
【産業上の利用可能性】
【００１４】
複数本のサイドスタンドがそれぞれの加重に応じて伸縮することで、車体を安定的に支えることができるサイドスタンドを提供することにある。
【図面の簡単な説明】
【００１５】
【図１】サイドスタンドの収納時の状態
【図２】サイドスタンドを平坦地で使用し、加重がかかる前の状態
【図３】サイドスタンドを平坦地で使用し、加重がかかった後の状態
【図４】サイドスタンドを凹凸がある場所で使用した状態
【符号の説明】
【００１６】
１      スタンドガイド
２      フック
３      バネピン
４      車体
５      車体ピン
６      スリット
【図１】
0003155938.tif 000003
【図２】
0003155938.tif 000004
【図３】
0003155938.tif 000005
【図４】
0003155938.tif 000006
(57)【要約】      （修正有）【課題】埃、虫、排気ガス等の有害物質の体内侵入を防止する運動用マウスフィルターを提供する。【解決手段】フレームにフィルターを貼り、フレーム裏面中央にリード部分と、半円形のエンド部分を設ける。【選択図】図１
0003155935.tif 000002
【実用新案登録請求の範囲】
【請求項１】
唇全体を覆えるフレームの前面にフィルターを貼り、フレーム裏面中央に、伸縮するリード部分を設け、リードのエンド部分を半円形にし、リード部分を、口にくわえることにより、前歯の裏側にエンド部分が接触するので、多少、口が開いても、脱落しないのが特徴の運動用マウスフィルター
【考案の詳細な説明】
【技術分野】
【０００１】本考案は運動中、特に、ジョギング、ランニング時に口の前にあてがう運動用マウスフィルターに関する
【背景技術】
【０００２】幹線道路や、車の往来の激しい道路でも口を開けたまま、ジョギング、ランニングをしていた
【考案の概要】
【考案が解決しようとする課題】
【０００３】口を開けた状態での、ジョギング、ランニングでは、埃、虫、排気ガス等の有害物質が直接、咽喉、肺に侵入する可能性がある為、解決しようとするものです
【課題を解決するための手段】
【０００４】本考案は、プラスチック、あるいは形状を維持できる、樹脂、又は金属のフレームの前面に不織布、又は、不織布に代わる精度の高いフィルターを貼りフレームを口に当て固定します。固定するには、フレーム中央に、リード部分を作り、その部分は伸縮する材質を使用し、エンド部分は、半円形にするので、絶えず前歯の裏側に当たっているので、呼吸をする時、多少、口が開いても固定されている。
【図面の簡単な説明】
【０００５】
【図１】  本考案の運動用マウスフィルターの特徴でありますリード部分と半円形のエンド部分の背面立体図です。
【図２】  運動用マウスフィルターを装着した状態の断面図です。
【図３】  運動用マウスフィルターを装着した状態の側面図です。
【図４】  運動用マウスフィルターを装着した状態の正面図です。
【図１】
0003155935.tif 000003
【図２】
0003155935.tif 000004
【図３】
0003155935.tif 000005
【図４】
0003155935.tif 000006
(57)【要約】      （修正有）【課題】ホルムアルデヒド除去効率を高めたフィルターを提供する。【解決手段】活性炭フィルターに追加の圧力損失の少ない顆粒状消石灰層を設ける。【選択図】図１
0003155934.tif 000002
【実用新案登録請求の範囲】
【請求項１】
ホルムアルデヒドを吸着するための（１）活性炭（２）顆粒状消石灰で構成されることを特徴とした局所排気装置用フィルター。
【考案の詳細な説明】
【技術分野】
【０００１】本考案は、局所排気装置のホルムアルデヒド吸着フィルターに関する。
【背景技術】
【０００２】従来、局所排気装置のホルムアルデヒド除去においては活性炭フィルターを使用している。
【考案の開示】
【考案が解決しようとする課題】
【０００３】現在、局所排気装置のホルムアルデヒド除去においては主に活性炭フィルターが使用されているが、特定化学物質障害予防規則の改正（平成２１年３月１日より適用）により、ホルムアルデヒドの局所排気装置に係る抑制濃度は０．１ｐｐｍに強化された。しかし、活性炭フィルターのみではホルムアルデヒドの除去は不十分になる欠点がある。
【課題を解決するための手段】
【０００４】課題を解決する為に、ホルモース反応でホルムアルデヒドの吸着除去が可能な消石灰を組み合わせることが出来れば、ホルムアルデヒドを効率よく除去することが可能となる。そこで従来からある活性炭フィルターに追加の圧力損失の少ない顆粒状消石灰層を設け、ホルムアルデヒド除去効率を高めたフィルターを提供する事で課題を解決したものである。
【考案の効果】
【０００５】本考案は本体を局所排気装置に装着することで、ホルムアルデヒドを効率よく除去することができる。
【図面の簡単な説明】
【０００６】
【図１】ホルムアルデヒド吸着フィルターを取り付けた局所排気装置の断面図である。
【図２】同上の空気の流れを説明する断面図である。
【図３】同上の主要斜視図である。
【符号の説明】
【０００７】１、  ホルムアルデヒド吸着フィルター
２、  局所排気装置
３、  ファン
４、  活性炭
５、  顆粒状消石灰
【図１】
0003155934.tif 000003
【図２】
0003155934.tif 000004
【図３】
0003155934.tif 000005
(57)【要約】      （修正有）【課題】複雑な折り込み、差し込みといった複雑な作業工程をはぶいて簡単な折り目加工と水溶性剥離のりでダイレクトメールを作成する用紙を提供する。【解決手段】１つあるいは複数の折り目加工を有するダイレクトメール用の用紙の任意の箇所、つまりダイレクトメールとしてのり付けする箇所のパラフインを主成分とする透明の水溶性剥離のりで小さなドット形状でのり付けすることにより上記課題を解決している。【選択図】図１
0003155937.tif 000002
【実用新案登録請求の範囲】
【請求項１】
１つあるいは複数の折り目加工を有するダイレクトメール用の用紙の任意の箇所に水溶性剥離のりで小さなドット形状でのり付け加工したことを特徴とするダイレクトメール用の糊付け折り加工した用紙。
【考案の詳細な説明】
【技術分野】
【０００１】  本考案は、いわゆるダイレクトメールとして知られている郵便物による商品案内システムに利用される封書形式のダイレクトメール用の糊付け折り加工した用紙に関する。
【背景技術】
【０００２】  大量に送付されているダイレクトメール封筒の中から、他の封筒と差別化を図り、受取人に対してダイレクトメール封筒の開封を促進させることができるようにするため、ある大きさの１枚ものの用紙にあて名スペース以外の両面に広告内容を印刷した広告印刷物を、折込点線に沿って折り込と差し込みにより、簡易な矩形封筒を形成するダイレクトメール用の用紙が知られている（特許文献１参照）。
【先行技術文献】
【特許文献】
【０００３】
【特許文献１】  特開２００５−３０６４７７号  公報
【考案の概要】
【考案が解決しようとする課題】
【０００４】    しかし、このようなダイレクトメール用の用紙は、折り込みと差し込みの作業を必要とするためダイレクトメールの作成が複雑になるという問題がある。したがって、本考案は、ダイレクトメール用紙を折り加工しながら水溶性剥離のりを使用して接着させることで、前述の欠点を解決しようとするものである。
【課題を解決するための手段】
【０００５】  本考案は、１つあるいは複数の折り加工を有するダイレクトメール用の用紙の任意の箇所、つまりダイレクトメールとしてのり付けする箇所にパラフィンを主成分とする透明の水溶性剥離のりで小さなドット形状でのり付けすることにより、この問題点を解決している。
【考案の効果】
【０００６】  このように本考案は、大きなサイズのパンフレットがそのままダイレクトメールにすることができるので、封筒と封入作業が不要となり、ダイレクトメール作成時の大幅なコストダウンを図ることができる。また、サイズもいろいろと選択できるとともに、のり付けがある程度は任意の箇所にできるので曲線的なのり付けが可能であり、四角形以外の用紙への対応もできる。【０００７】  これによって、定型サイズでポストに入っている他の郵便物よりもインパクトのあるダイレクトメールを作成することができる。めくっていくと２倍、３倍、４倍といったように紙面が次々と展開していき、豊富な情報量を提供できる。
【図面の簡単な説明】
【０００８】
【図１】  本考案のダイレクトメール用の用紙を開いた状態を示す平面図である。
【図２】  本考案のダイレクトメール用の用紙を閉じた状態を示す平面図である。
【考案を実施するための形態】
【０００９】  １つあるいは複数の折り加工を有するダイレクトメール用の用紙の任意の箇所に水溶性剥離のりで小さなドット形状でのり付け加工することによって、大きなサイズのパンフレットがそのままダイレクトメールにすることができる。また、サイズもいろいろと選択できるとともに封筒と封入作業が不要となるのでダイレクトメール作成時の大幅なコストダウンを図ることができる。
【実施例】
【００１０】  以下、添付図面にしたがって本考案の一実施例を説明する。図１、図２において、１はダイレクトメール用の用紙で、折り目２を有している。この折り目２はダイレクトメールの内容、デザイン等のよって任意の箇所に設けられている。本実施例では折り目が１つのものを示しているが、情報量に応じて２つ以上の折り目を設けることができる。３は用紙１に設けられた窓であり、切り抜き加工してある。４は小さなドット形状で付着させた水溶性剥離のりである。この小さなドット形状の水溶性剥離のり４は、パラフィンを主成分とする透明なものである。そしてこの水溶性剥離のり４は、ダイレクトメールとして折り目３から２つ折りにして封書を作成する場合に、その必要箇所に付着させる。ここで窓３は任意のものであっても良いし、無くてもかまわない。【００１１】本考案の一実施例は上記のような構成からなるものであるので、大きなサイズのパンフレットがそのままダイレクトメールにすることができる。また、サイズもいろいろと選択できるとともに封筒に封入作業が不要となるのでダイレクトメール作成時の大幅なコストダウンを図ることができる。【００１２】  これによって、定型サイズでポストに入っていた他の郵便物よりもインパクトのあるダイレクトメールを作成することができる。めくっていくと２倍、３倍、４倍といったように紙面が次々と展開していき、豊富な情報量を提供できる。
【符号の説明】
【００１３】    １    ダイレクトメール用の用紙
２    折り目
３    窓
４    水溶性剥離のり
【図１】
0003155937.tif 000003
【図２】
0003155937.tif 000004
(57)【要約】      （修正有）【課題】ごみ袋付きポケットティッシュにおいて、使用済みティッシュなどのごみをごみ袋に入れても、ごみ袋の出し入れ口が開いたままになったり、ごみが抜け出してきたりせず、また、ごみをごみ袋に挿入していくと、ごみ袋と一体になっているティッシュ本体が弓形に膨らむこともないごみ袋付ポケットティッシュを提供する。【解決手段】ごみ袋１は、２枚の縁およびごみ袋本体により形成する。さらに、前記縁をそれぞれごみ袋本体の内側に折り込んで、ごみの抜け出し防止手段を形成する。そして、ごみ袋を接着剤や両面テープなどによってポケットティッシュ５のティッシュ取り出し口の反対側に接着させて、ごみ袋付きポケットティッシュ６を形成する。【選択図】図４
0003155932.tif 000002
【実用新案登録請求の範囲】
【請求項１】
ポケットティッシュ本体に、ごみの出し入れ口を持つごみ袋を接着させ、該出し入れ口に該ごみの抜け出し防止手段を付加したことを特徴とするごみ袋付きポケットティッシュ。
【請求項２】
前記ごみ袋の中に変形防止材を入れたことを特徴とする請求項１記載のごみ袋付きポケットティッシュ。
【考案の詳細な説明】
【技術分野】
【０００１】  本考案は、ごみ袋を接着させたポケットティッシュに関するものである。
【背景技術】
【０００２】  従来のごみ袋付きポケットティッシュには、ポケットティッシュ本体にビニール袋を貼り付けたものがある（例えば、特許文献１参照）。また、ポケットティッシュとごみを入れる袋を一体に収納した袋がある（例えば、特許文献２参照）。
【先行技術文献】
【特許文献】
【０００３】
【特許文献１】  特開２００２−３０２１７２号  公報
【特許文献２】  特開平−１２４１８８号  公報
【考案の概要】
【考案が解決しようとする課題】
【０００４】  従来のごみ袋付きポケットティッシュは、使用済みティッシュなどのごみをごみ袋に入れると、ごみ袋の出し入れ口が開いたままになったり、ごみが抜け出してきたりして清潔でないという問題があった。また、ごみをごみ袋に挿入していくと、ごみ袋と一体になっているティッシュ本体が弓形に膨らんで携帯しにくいという問題があった。
【課題を解決するための手段】
【０００５】  本考案は、ポケットティッシュ本体に、ごみの出し入れ口を持つごみ袋を接着させ、出し入れ口にごみの抜け出し防止手段を付加した。また、ごみ袋の中に変形防止材を入れた。
【考案の効果】
【０００６】  上述のように、本考案のごみ袋付きポケットティッシュは、ポケットティッシュ本体に、ごみの出し入れ口を持つごみ袋を接着させ、出し入れ口にごみの抜け出し防止手段を付加したことにより、ごみ袋にごみを入れた後にも出し入れ口をほぼ閉じることができ、かつ、ごみが抜け出してくるのを防止できるので、清潔に保つことができる。また、ごみ袋の中に変形防止材を入れたので、ポケットティッシュ本体が弓形に膨らむことを防止できる。
【図面の簡単な説明】
【０００７】
【図１】  本考案のごみ袋を示す正面図である。
【図２】  本考案のごみ袋を側面から見た断面図である。
【図３】  縁２をごみ袋本体３の内側に差し込んだ状態を示す断面図である。
【図４】  本考案のごみ袋付きポケットティッシュ６を示す側面図である。
【図５】  使用済みのティッシュ７をごみ袋１に入れた状態を示す断面図である。
【図６】  ごみ袋１に変形防止材８を入れた状態を示す断面図である。
【考案を実施するための形態】
【０００８】  ごみ袋は、２枚の縁およびごみ袋本体から形成されている。縁をそれぞれごみ袋本体の内側に折り込んで、ごみの抜け出し防止手段を形成する。そして、ごみ袋を接着剤や両面テープなどによってポケットティッシュのティッシュ取り出し口の反対側に接着させて、ごみ袋付きポケットティッシュを形成する。
【０００９】  また、ごみ袋の中に変形防止材を入れて、ごみ袋を接着剤や両面テープなどによってポケットティッシュのティッシュ取り出し口の反対側に接着させて、ごみ袋付きポケットティッシュを形成する。
【実施例】
【００１０】  以下、添付図面に基づいて実施例を説明する。図１はごみ袋１を示す正面図、図２はごみ袋１を側面から見た断面図、図３は縁２を内側に折り曲げごみ袋本体３の内側に折り込んだ状態を示す断面図、図４はごみ袋付きポケットティッシュ６を示す側面図、図５はごみ７をごみ袋１に入れた状態を示す断面図である。【００１１】  図１および図２に示すように、ごみ袋１は、２枚の縁２およびごみ袋本体３から形成されている。図３に示すように、縁２をそれぞれ内側に折り曲げ、ごみ袋本体３の内側に折り込んで、ごみの抜け出し防止手段４を形成する。そして、図４に示すように、このごみ袋１を接着剤や両面テープなどによってポケットティッシュ５のティッシュ取り出し口の反対側に接着させて、ごみ袋付きポケットティッシュ６を形成する。【００１２】  このように形成することによって、ごみ７をごみ袋１の中に入れても、図５に示すように、抜け出し防止手段４によって、ごみ袋１の出し入れ口８をほぼ閉じることができ、かつ、ごみ７が外に抜け出すことを防止でき、清潔に保つことができる。ごみ袋１の材料は、ビニールや紙などを使用すると低コストで製作できる。抜け出し防止手段４は、ごみ袋１の開口端部を全周内側に折曲げてもよいし、ジッパー、ファスナー、ばねなどであってもよい。本実施例では、ごみ袋１をポケットティッシュ５に接着させるようにしたが、両者は一体で形成してもよい。【００１３】  次に、他の実施例を示す。図６はごみ袋１に変形防止材８を入れた状態を示す断面図である。図６において、ごみ袋１の中に変形防止材８を入れて、図４に示すと同様に、このごみ袋１を接着剤や両面テープなどによってポケットティッシュ５のティッシュ取り出し口の反対側に接着させて、ごみ袋付きポケットティッシュ６を形成する。変形防止材８の材料は、紙やプラスチックなどを使用すると、低コストで製作できる。【００１４】  このように形成することによって、ごみ７をごみ袋１に入れても、変形防止材８によって、ごみ袋１の変形を抑制できるので、結果的にごみ袋付きポケットティッシュ６が弓形に膨らむことを防止できる。広告、絵、写真などを、変形防止材８の片面または両面に印刷してもよい。同様に、広告、絵、写真などを、ごみ袋１の片面または両面に印刷してもよい。
【符号の説明】
【００１５】  １  ごみ袋                            ２  縁
３  ごみ袋本体                        ４  抜け出し防止手段
５  ポケットティッシュ                ６  ごみ袋付きポケットティッシュ
７  ごみ                              ８  変形防止材
【図１】
0003155932.tif 000003
【図２】
0003155932.tif 000004
【図３】
0003155932.tif 000005
【図４】
0003155932.tif 000006
【図５】
0003155932.tif 000007
【図６】
0003155932.tif 000008
(57)【要約】      （修正有）【課題】屋内や乗り物内での脱帽時、帽子を型崩れや皺がつく恐れなく携帯できる簡易なホルダーを提供する。【解決手段】２〜３センチのチェーンの両サイドに挟むタイプのクリップをつけ、片側には帽子をはさみ、手を空け、置き忘れの心配や、帽子をバックにしまう必要もない様に、片側は衣類やバックなど好きなところにとめつけて帽子を携帯できる様に構成する。【選択図】図２
0003155908.tif 000002
【実用新案登録請求の範囲】
【請求項１】
２〜3センチのチェーンの両サイドに挟むタイプのクリップをつけた脱帽時の帽子携帯ホルダー。片方のクリップで帽子のつばなどをはさみ、もう片方のクリップでバックの持ち手や洋服のポケットや裾などをはさむ。帽子を好きなところにとめて携帯できるホルダー。（帽子とはサンバイザーや野球帽など、をあらゆる形状の帽子の総称）
【考案の詳細な説明】
【技術分野】
【０００１】
本考案は、屋内や乗り物内において脱帽時に帽子を携帯するためのホルダーに関するものである
【背景技術】
【０００２】
従来、帽子は屋外で使用するため、屋内でのショッピング、食事、乗り物内などでは帽子をはずし、手でもつか、あるいは折りたたんでバックにしまっていた
【先行技術文献】
【特許文献】
【０００３】
【特許文献１】特になし
【非特許文献】
【０００４】
【非特許文献１】特許電子図書館にて類似の実用新案を検索。同一例はありませんでした
【考案の概要】
【考案が解決しようとする課題】
【０００５】
屋内や乗り物内で、帽子を取り外し、手で持つと、片手がふさがってしまい不自由。すでにバックを片手にもっている状態では、取り外した帽子を持つ事で、両手がふさがってしまい非常に不自由。また手で持っているだけだと、なにかの拍子に置き忘れてしまうこともある。帽子は折り畳んでバックにしまうこともできるが、そのためには、帽子が入る大きさを考えてバックを選ばなければならないし、折り畳むと型崩れや皺がつく危険性もある
【課題を解決するための手段】
【０００６】
そこで２〜3センチのチェーンの両サイドに挟むタイプのクリップをつけたものを考案した。片側のクリップで帽子のつばをとめ、もう片側は衣服やバックの持ち手などにとめつけるようにした。これによって帽子を手で持つ必要もなく、折りたたんでバックにしまうこともなく、手軽に携帯できる。
【考案の効果】
【０００７】
屋内でのショッピングや、乗り物に乗車中の脱帽時、本考案のホルダーをつかって、帽子を衣類のポケットや裾、バックの持ち手など、好きなところに、とめつけて携帯することができる。とめてあるので、置き忘れる心配もなく、片手も空いて快適。また帽子をバックにしまう必要がないので、バックは帽子を入れる容量を気にせず、すきなものを選べる。折り畳まず、外部に帽子を携帯できるので、帽子の形もくずれもしにくく、帽子を下げたファッションも楽しめる
【図面の簡単な説明】
【０００８】
【図１】図１は屋内帽子ホルダーを示した図面代用写真である。
【図２】図２は屋内帽子ホルダーを横にした図面代用写真である。
【図１】
0003155908.tif 000003
【図２】
0003155908.tif 000004
【手続補正書】
【提出日】平成21年9月29日(2009.9.29)
【手続補正１】
【補正対象書類名】実用新案登録請求の範囲
【補正対象項目名】全文
【補正方法】変更
【補正の内容】
【実用新案登録請求の範囲】
【請求項１】
２〜3センチのチェーンの両サイドに挟むタイプのクリップをつけた脱帽時の帽子携帯ホルダー。